(57)【要約】【課題】  方向制御するレンチ工具の構造を提供する。【解決手段】  主に一つの本体、一つの制動セット及び一つの方向制御セットで構成する方向制御するレンチ工具の構造である。該本体の一端に一つの穴及び一つの方向制御穴を貫設する。該制動セットは該穴内に構設し、且つ駆動ディスク、二つの歯ディスク及び二つのスプリングを含み、且つ該駆動ディスクは相対する両サイドにそれぞれ一つの第一歯部及び一つの第二歯部を設ける。該第一歯部及び第二歯部にある複数個の噛合部の歯の向きは相反して設置し、該二つの歯ディスクはそれぞれ第一歯部及び第二歯部に対応し、互いに噛合及び離脱する。各スプリングの両端はそれぞれ各歯ディスク及び本体を抵触する。該方向制御セットの一端は、方向制御穴の中に位置し、別の一端は穴の中に位置する。方向制御セットを切り替えることで、歯ディスクと第一歯部が噛合、及び第二歯部が離脱、或いは第二歯部と噛合及び第一歯部が離脱することで、駆動ディスクの掛止及びアイドリングの方向を変更する。【選択図】  図１
2017526536.tif 000002
【特許請求の範囲】
【請求項１】
一つの本体、一つの制動セット及び一つの方向制御セットを含み、
該本体の一端に一つの穴及び一つの方向制御穴を貫設し、且つ該穴と該方向制御穴は互いに通じ、
該制動セットは該穴内に構設し、且つ一つの駆動ディスク、二つの歯ディスク及び二つのスプリングを含み、且つ該駆動ディスクは相対する両サイドにそれぞれ一つの第一歯部及び一つの第二歯部を設け、該第一歯部にある複数個の噛合部及び第二歯部にある複数個の噛合部の歯の向きは相反して設置し、該二つの歯ディスクはそれぞれ該第一歯部及び該第二歯部に対応し、且つ対応する第一歯部及び第二歯部は互いに噛合及び離脱し、各スプリングの両端はそれぞれ各歯ディスク及び本体を抵触し、
該方向制御セットの一端は、方向制御穴の中に位置し、別の一端は穴の中に位置し、それはうち一つの歯ディスクと第一歯部を噛合させ、別の一つの歯ディスクと第二歯部を離脱させ、或いはうちの一つの歯ディスクと第二歯部を噛合させ、別の一つの歯ディスクと第一歯部が離脱するのを切り替え、
その中、方向制御セットを切り替えることで、歯ディスクと第一歯部が噛合、及び第二歯部が離脱、或いは第二歯部と噛合及び第一歯部が離脱することで、駆動ディスクの掛止及びアイドリングの方向を変更することを特徴とする方向制御するレンチ工具の構造。
【請求項２】
該方向制御セットに含まれるのは一つの方向制御部品、一つの弾性部品及び一つのスチールボールであり、該方向制御部品に一つの定位部及び二つの締緩部を設け、該定位部は方向制御穴の中に位置し、該二つの締緩部は該定位部と同じ端に位置し、且つ該二つの締緩部は間隔を開けて設置し、且つ該二つの締緩部は穴の中に位置し、各締緩部は各歯ディスクを抵触し、且つうち一つの締緩部はうち一つの歯ディスクと第一歯部の間に位置し、別の一つの締緩部は別の一つの歯ディスクと第二歯部の間に位置し、該方向制御穴に一つの収納槽を凹設し、且つ該弾性部品及びスチールボールを収納槽の中に設置し、該弾性部品の両端はそれぞれ収納槽の底及びスチールボールを抵触し、該定位部に設ける該二つの締緩部の別端に複数個のスチールボールに対応する定位槽を設け、該スチールボールは如何なる一つの定位槽内を弾力的に抵触することを特徴とする請求項１記載の方向制御するレンチ工具の構造。
【請求項３】
前記各歯ディスクは一つの基盤及び基盤に設置する一つの歯リングを含み、うち一つの歯ディスクの歯リングは第一歯部と噛合し、別の一つの歯ディスクの歯リングは第二歯部と噛合し、且つ歯リングは基盤と同軸に設置し、基盤の外周から基盤の中心の相反方向に向けて複数個の円弧片を延伸することを特徴とする請求項２記載の方向制御するレンチ工具の構造。
【請求項４】
前記二つの締緩部はリング状であり、且つ各締緩部はそれぞれ各基盤の歯リングに套設し、且つ歯リングの外周に位置し、且つ複数個の円弧片の上に抵触し、該穴の形は基盤の形状に対応し、該歯ディスクは基盤により穴内に嵌合することを特徴とする請求項３記載の方向制御するレンチ工具の構造。
【請求項５】
前記該スプリングの直径サイズは歯ディスクと抵触する一端から本体に抵触する別端に向って次第に大きくなることを特徴とする請求項１記載の方向制御するレンチ工具の構造。
【請求項６】
前記該駆動ディスクは中央に一つの挿嵌穴を貫設することで、套筒を套設して掛止することを特徴とする請求項１記載の方向制御するレンチ工具の構造。
【発明の詳細な説明】
【技術分野】
【０００１】
本発明は方向制御するレンチ工具の構造に関し、特に如何なる一つの歯ディスクと駆動ディスクの如何なる片側の歯部の噛合を制御し、方向制御の効果に達するレンチ工具の構造に関する。
【背景技術】
【０００２】
レンチ工具はレバーの原理で工作物の締緩を螺着することで、締める或いは緩める効果に達する。螺着部品を介して各類の産業の部品を装着及び組立てるのは、一般工業の製品では、構造の違いにより、様々な螺着部品を使用することが必要であり、強弱の異なるトルクで組み合わせて固定する。重工業では例えば航空、造船及び自動車など、当該部品はかなり強度の高いトルクで組み合わせてこそしっかりとした構造になり、気圧、動力の衝撃に耐えることができる。電子機器などの精密工業の部品は過大なトルクを使用せずに組立ててこそ、精確に運用できるよう確保することができる。
【０００３】
従来技術のレンチ工具の種類は多様化し、中華民国特許申請案第Ｍ４６５２４３号の「嵌入式ラチェット工具」では、該本体ヘッドに一つの収納スペースを形成し、収納スペースの周囲縁に一つの連通するラチェットブロック槽を形成する。その収納スペースとラチェットブロック層内にそれぞれ互いに噛合する工具ヘッドとラチェットブロックを設ける。本発明の特色は、ラチェットブロックの両端にそれぞれ一つの嵌合部を突出し、且つ嵌合部がラチェットブロックをラチェットブロック槽の如何なる片側に動かして工具ヘッドを噛合する時、嵌合部のラチェットと背面縁は完全に工具ヘッドラチェットを噛合し、及びラチェットブロック槽の内縁に抵触する。そうすることで有効的に噛合して回転する際に、工具ヘッドとラチェットブロックのラチェット間に、負荷トルクのために抗トルクが不足することで発生する変位隙間を有効的に無くすことができ、ラチェット間の完全なる面接触を形成する。ラチェットブロックが工具ヘッドに対応する抗トルクを大幅に引き上げるほか、張力変位を無くし及びその確動性を増進することができ、ラチェットの角がつぶれる現象を避け、使用寿命を延ばす。
【０００４】
前記従来技術は、方向制御するレンチであり、嵌合部のラチェットと工具ヘッドのラチェットが長時間歯飛びする状態では、磨耗しやすい現象が発生する。磨耗したラチェットは噛合する際に、負荷トルクの力が不足する。例え嵌合部のラチェットを完全に工具ヘッドと噛合させるとしても、避けられないのは、嵌合部はブロック状の構造であり、一部の工具ヘッドのラチェットのみを噛合することができるため、噛合する歯部の数が制限されてしまう。噛合歯の数が限られている中で、該ラチェットブロックとラチェットとの間の負荷トルクもまた制限がある。この他、ラチェット間を完全な噛合状態にさせるために、各ラチェットの製造過程において、その公差は必ず最も小さく抑える必要があり、必ず繊細にするべきである。しかし、それでは加工のプロセスが繁雑且つ加工時間が長く、加工コストが比較的高くなることなどを鑑みて、更なる改善が必要であった。
【先行技術文献】
【特許文献】
【０００５】
【特許文献１】特開2016-16506号公報
【発明の概要】
【発明が解決しようとする課題】
【０００６】
本発明の主な目的は、従来技術の嵌合部と工具ヘッドのラチェット噛合する数が制限され、且つ加工が精密及びプロセスが繁雑などの問題を改善し、トルクの大きいレンチ工具を提供することにある。
【課題を解決するための手段】
【０００７】
上述の目的を解決するために、本発明は方向制御するレンチ工具の構造を提供するものであり、それに含まれるのは一つの本体、一つの制動セット及び一つの方向制御セットである。該本体の一端に一つの穴及び一つの方向制御穴を貫設し、且つ該穴と該方向制御穴は互いに通じる。該制動セットは該穴内に構設し、且つ一つの駆動ディスク、二つの歯ディスク及び二つのスプリングを含み、且つ該駆動ディスクは相対する両サイドにそれぞれ一つの第一歯部及び一つの第二歯部を設け、該第一歯部にある複数個の噛合部及び第二歯部にある複数個の噛合部の歯の向きは相反して設置する。二つの歯ディスクはそれぞれ該第一歯部及び該第二歯部に対応し、且つ対応する第一歯部及び第二歯部は互いに噛合及び離脱し、各スプリングの両端はそれぞれ各歯ディスク及び本体を抵触する。該方向制御セットの一端は、方向制御穴の中に位置し、別の一端は穴の中に位置する。それはうち一つの歯ディスクと第一歯部を噛合させ、別の一つの歯ディスクと第二歯部を離脱させ、或いはうちの一つの歯ディスクと第二歯部を噛合させ、別の一つの歯ディスクと第一歯部が離脱するのを切り替える。方向制御セットを切り替えることで、歯ディスクと第一歯部が噛合、及び第二歯部が離脱、或いは第二歯部と噛合及び第一歯部が離脱することで、駆動ディスクの掛止及びアイドリングの方向を変更する。
【０００８】
本発明の更なる技術特徴は下記の内容を含む：
【０００９】
該方向制御セットに含まれるのは一つの方向制御部品、一つの弾性部品及び一つのスチールボールである。該方向制御部品に一つの定位部及び二つの締緩部を設け、該定位部は方向制御穴の中に位置し、該二つの締緩部は該定位部と同じ端に位置し、且つ該二つの締緩部は間隔を開けて設置し、且つ該二つの締緩部は穴の中に位置し、各締緩部は各歯ディスクを抵触し、且つうち一つの締緩部はうち一つの歯ディスクと第一歯部の間に位置し、別の一つの締緩部は別の一つの歯ディスクと第二歯部の間に位置する。該方向制御穴に一つの収納槽を凹設し、且つ該弾性部品及びスチールボールを収納槽の中に設置する。該弾性部品の両端はそれぞれ収納槽の底及びスチールボールを抵触する。該定位部に設ける該二つの締緩部の別端に複数個のスチールボールに対応する定位槽を設け、該スチールボールは如何なる一つの定位槽内を弾力的に抵触する。
【００１０】
(二) 各歯ディスクは一つの基盤及び基盤に設置する一つの歯リングを含み、うち一つの歯ディスクの歯リングは第一歯部と噛合し、別の一つの歯ディスクの歯リングは第二歯部と噛合し、且つ歯リングは基盤と同軸に設置し、基盤の外周から基盤の中心の相反方向に向けて複数個の円弧片を延伸する。
【００１１】
(三)該二つの締緩部はリング状であり、且つ各締緩部はそれぞれ各基盤の歯リングに套設し、且つ歯リングの外周に位置し、且つ複数個の円弧片の上に抵触する。該穴の形は基盤の形状に対応し、該歯ディスクは基盤により穴内に嵌合する。
【００１２】
(四) 該スプリングの直径サイズは歯ディスクと抵触する一端から本体に抵触する別端に向って次第に大きくなる。
【００１３】
(五)該駆動ディスクは中央に一つの挿嵌穴を貫設することで、套筒を套設して掛止する。
【００１４】
前記方案を採用した後、本発明は方向制御セットにより一つの歯ディスクと第一歯部を噛合させ、別の歯ディスクと第二歯部を離脱させる、或いは一つの歯ディスクと第二歯部を噛合させ、別の一つの歯ディスクと第一歯部を離脱させるのを切り替えることで、ユーザーが一つの方向をセレクトして、固定物を套合してから作業を進めることができる。駆動ディスクの駆動方向を切り替えたい場合、方向制御セットを切り替えるだけで駆動ディスクの制動方向を切り替える効果に達し、レンチ工具をひっくり返す必要がないため、作業工程を増やさず、作業効率に影響を与えない。
【発明の効果】
【００１５】
本発明の構造により、ユーザーが一つの方向をセレクトして、固定物を套合してから作業を進めることができる。駆動ディスクの駆動方向を切り替えたい場合、方向制御セットを切り替えるだけで駆動ディスクの制動方向を切り替える効果に達し、レンチ工具をひっくり返す必要がないため、作業工程を増やさず、作業効率に影響を与えない。
【図面の簡単な説明】
【００１６】
【図１】本発明の分解立体図である。
【図２】本発明の立体図である。
【図３】本発明の二つの歯ディスクがそれぞれ第一歯部及び第二歯部と噛合する構造略図である。
【図４】本発明のうち一つの歯ディスクが第一歯部と噛合し、別の一つの歯ディスクが第二歯部と噛合する構造略図である。
【図５】図４の局部拡大図である。
【図６】本発明のうち一つの歯ディスクが第二歯部と噛合し、別の一つの歯ディスクが第一歯部と噛合する構造略図である。
【図７】図６の局部拡大図である。
【発明を実施するための形態】
【実施例】
【００１７】
本発明は前記の目的と効果に達するため、採用する技術手段と構造について、図面に合わせて本発明の実施例の特徴及び効果を詳細に説明する。
【００１８】
図１及び図２に示すように、本発明は一種の方向制御するレンチ工具である。それに含まれるのは一つの本体１、一つの制動セット２及び一つの方向制御セット３である。該本体１の一端に一つの穴１１及び一つの方向制御穴１２を貫設し、且つ該穴１１と該方向制御穴１２は互いに通じる。該制動セット２は該穴１１内に構設し、且つ一つの駆動ディスク２１、第一歯ディスク２２、第二歯ディスク２３及び第一スプリング２４、第二スプリング２５を含む。且つ該駆動ディスク２１は相対する両サイドにそれぞれ一つの第一歯部２１１及び一つの第二歯部２１２を設け、該第一歯部２１１にある複数個の第一噛合部２１３及び第二歯部２１２にある複数個の第二噛合部２１４の歯の向きは相反して設置する。 (本実施例の第一歯部２１１にある複数個の第一噛合部２１３は順行に設置し、第二歯部２１２にある複数個の第二噛合部２１４は逆行に設置するが、これに制限されない)。該第一歯ディスク２２、第二歯ディスク２３はそれぞれ該第一歯部２１１及び該第二歯部２１２に対応し、且つ対応する第一歯部２１１及び第二歯部２１２は互いに噛合及び離脱する。第一スプリング２４、第二スプリング２５の両端はそれぞれ第一歯ディスク２２、第二歯ディスク２３及び本体１を抵触する。第一歯ディスク２２が第一歯部２１１に相対して回転して第一歯部２１１から離脱し、第一歯ディスク２２は第一スプリング２４を圧縮することで、第一スプリング２４は弾性力を蓄える状態を呈し、且つ第一スプリング２４の反対方向の弾性力を提供することにより第一歯ディスク２２は第一歯部２１１の方向に向けて噛合する。(第二スプリング２５が第二歯部２１２に対する駆動方法は、第一歯部２１１と同じである。)該方向制御セット３の一端は、方向制御穴１２に位置し、別の一端は穴１１に位置する。それは第二歯ディスク２３と第二歯部２１２が離脱する、或いは第二歯ディスク２３と第二歯部２１２が噛合し、第一歯ディスク２２と第一歯部２１１が離脱するのを切り替える。
【００１９】
図４及び図５に示すように、第一歯部２１１にある複数個の第一噛合部２１３と第二歯部２１２にある複数個の第二噛合部２１４の設置方向が反対であるため、第一歯ディスク２２が第一歯部２１１と噛合し、且つ第二歯ディスク２３と第二歯部２１２が離脱する際、駆動ディスク２１は第一方向に向けて制動するしかできず(図４、図５を参照、第一方向は白い矢印である)、第二方向に向けて歯飛びする(第二方向は黒い矢印である)。図６及び図７に示すように、逆に、第二歯ディスク２３が第二歯部２１２と噛合し、且つ第一歯ディスク２２と第一歯部２１１が離脱する際、駆動ディスク２１は第二方向に向けて制動するしかできず(図７を参照、第二方向は白い矢印である)、第一方向に向けて歯飛びする(第一方向は黒い矢印である)。
【００２０】
方向制御セット３により第一歯ディスク２２と第一歯部２１１を噛合させ、第二歯ディスク２３と第二歯部２１２を離脱させる、或いは第二歯ディスク２３と第二歯部２１２を噛合させ、第一歯ディスク２２と第一歯部２１１を離脱させるのを切り替えることで、ユーザーが一つの方向をセレクトし、固定物に套合してから作業を進めることができる。駆動ディスク２１の駆動方向を切り替えたい場合、方向制御セット３を切り替えるだけで駆動ディスク２１の制動方向を切り替える効果に達し、レンチ工具をひっくり返す必要がないため、作業工程を増やさず、作業効率に影響を与えない。
【００２１】
前記は本発明の主な実施例の主な技術特徴であり、それに対応するのは本発明の請求項１の内容である。本発明の目的及び実施形態の詳細を知ることができ、他の付属請求項にて述べる技術特徴は、請求項１の内容を更に詳しく述べる内容、或いは付加した技術特徴であり、請求項１の範囲を制限するものではない。本発明の請求項１は、他の付属請求項にて述べる技術特徴を必ず含む必要がない。
【００２２】
図１、図３及び図４に示すのは、方向制御セット３の更なる技術特徴を詳細に説明するものである。該方向制御セット３に含まれるのは一つの方向制御部品３１、一つの弾性部品３２及び一つのスチールボール３３である。該方向制御部品３１に一つの定位部３１１を設け、方向制御穴１２に位置し、及び、第一締緩部３１２、第二締緩部３１３は穴１１の中に位置する。該第一締緩部３１２、第二締緩部３１３は該定位部３１１と同じ端に位置し、且つ該第一締緩部３１２、第二締緩部３１３は間隔を開けて設置する。該第一締緩部３１２、第二締緩部３１３は第一歯ディスク２２、第二歯ディスク２３を抵触し、且つその内該第一締緩部３１２は第一歯ディスク２２と第一歯部２１１の間に位置し、該第二締緩部３１３は第二歯ディスク２３と第二歯部２１２の間に位置する。該方向制御穴１２に一つの収納槽１２１を凹設し、且つ該弾性部品３２及びスチールボール３３を収納槽１２１の中に設置する。該弾性部品３２の両端はそれぞれ収納槽１２１の底及びスチールボール３３を抵触し、該定位部３１１に設ける第一締緩部３１２、第二締緩部３１３の別端に複数個のスチールボール３３に対応する定位槽３１１１を設ける(本実施例では３つの定位槽３１１１とする)。該スチールボール３３は如何なる一つの定位槽３１１１内を弾力的に抵触して定位部３１１を固定する。図２から図４に示すように、本実施例の中の定位部３１１はブロック状の構造であり、定位部３１１を押す方向により該第一締緩部３１２、第二締緩部３１３の変位を行う。図３に示すように、元のスチールボール３３は中間の定位槽３１１１に位置する。この時、第一歯ディスク２２、第二歯ディスク２３はそれぞれ第一歯部２１１及び第二歯部２１２と噛合し、駆動ディスク２１は駆動できない状態になる。
【００２３】
定位部３１１を押すと、該スチールボール３３は弾性的に上方の定位槽３１１１に位置し、第二締緩部３１３は第二歯ディスク２３を押して第二歯部２１２との噛合状態から離脱する。第一歯ディスク２２と第一歯部２１１は噛合状態を維持する。図４、図５に示すのは、白い矢印は駆動方向であり、黒い矢印は歯飛び方向である。逆時計周りが駆動方向であり、時計回りが歯飛び方向である。逆に図６、図７に示すように、別側から上向きに定位部３１１を押すと、第一締緩部３１２は第一歯ディスク２２を押して第一歯部２１１との噛合状態から離脱する。第二歯ディスク２３と第二歯部２１２は噛合状態を維持する。更に図６に示すのは、白い矢印は駆動方向であり、黒い矢印は歯飛び方向である。故に逆時計周りが歯飛び方向であり、時計回りが駆動方向である。
【００２４】
この他、第一歯ディスク２２、第二歯ディスク２３はそれぞれ第一基盤２２１、第二基盤２３１及び、第一基盤２２１、第二基盤２３１に設置する一つの第一歯リング２２２、第二歯リング２３２を含む。その中で第一歯ディスク２２の第一歯リング２２２は第一歯部２１１と噛合し、第二歯ディスク２３の第二歯リング２３２は第二歯部２１２と噛合する。且つ第一歯リング２２２、第二歯リング２３２は第一基盤２２１、第二基盤２３１と同軸に設置する。第一基盤２２１、第二基盤２３１の外周から第一基盤２２１、第二基盤２３１の中心の相反方向に向けて複数個の第一円弧片２２３、第二円弧片２３２を延伸する。図に示すように、該第一基盤２２１、第二基盤２３１はおよそ梅の花状を呈する。該第一締緩部３１２、第二締緩部３１３はリング状であり、且つ該第一締緩部３１２、第二締緩部３１３はそれぞれ第一基盤２２１、第二基盤２３１の第一歯リング２２２、第二歯リング２３２に套設し、且つ第一歯リング２２２、第二歯リング２３２の外周に位置し、且つ複数個の第一円弧片２２３、第二円弧片２３３の上に抵触することで、安定して第一歯ディスク２２を押して第一歯部２１１から離す、或いは第二歯ディスク２３を押して第二歯部２１２から離す。この他、穴１１の形は第一基盤２２１、第二基盤２３１の形状に対応し、且つ内壁に複数個の円弧状溝を形成し、該第一歯ディスク２２、第二歯ディスク２３は第一基盤２２１、第二基盤２３１により穴１１内に嵌合する。
【００２５】
該第一スプリング２４、第二スプリング２５の直径サイズは、第一歯ディスク２２、第二歯ディスク２３と抵触する一端から本体１に抵触する別端に向って次第に大きくなり、それにより比較的強い押す力を提供する。
【００２６】
また、駆動ディスク２１は中央に一つの挿嵌穴２１５を貫設することで、套筒を套設して掛止する。
【符号の説明】
【００２７】
１  本体
１１  穴
１２  方向制御穴
１２１  収納槽
２  制動セット
２１  駆動ディスク
２１１  第一齒部
２１３  第一噛合部
２１２  第二齒部
２１４  第二噛合部
２１５  挿嵌穴
２２  第一歯ディスク
２２１  第一基盤
２２２  第一歯リング
２２３  第一円弧片
２３  第二歯ディスク
２３１  第二基盤
２３２  第二歯リング
２３３  第二円弧片
２４  第一スプリング
２５  第二スプリング
３  方向制御セット
３１  方向制御部品
３１１  定位部
３１１１  定位槽
３１２  第一締緩部
３１３  第二締緩部
３２  弾性部品
３３  スチールボール
【図１】
2017526536.tif 000003
【図２】
2017526536.tif 000004
【図３】
2017526536.tif 000005
【図４】
2017526536.tif 000006
【図５】
2017526536.tif 000007
【図６】
2017526536.tif 000008
【図７】
2017526536.tif 000009
【国際調査報告】
2017526536.tif 000010
2017526536.tif 000011
2017526536.tif 000012
2017526536.tif 000013